(57)【要約】【課題】１つのユーザーフォルダ内に複数のユーザーの画像ファイルが混在しないように各ユーザーの画像ファイルをユーザー毎に対応するユーザーフォルダに自動的に格納し、ユーザー毎に画像ファイルを整理することができるデジタルカメラを提供する。【解決手段】ユーザーＩＤ（パスワード）の入力によりデジタルカメラを使用するユーザーを判別し（ステップＳ１０）、新規ユーザーの場合には新規ユーザー（パスワード）に対応するユーザーフォルダを自動的に作成し（ステップＳ１４）、既にユーザーフォルダが作成されているユーザーの場合には、対応するユーザーフォルダを自動的に選択する（ステップＳ１６〜Ｓ２０）。そして、現在、デジタルカメラを使用しているユーザーによって撮影が行われると（ステップＳ２２）、その撮影時に取得した画像（画像ファイル）は、前記作成又は選択されたユーザーフォルダに格納される（ステップＳ２４）。【選択図】      図３
2005244769.tif 000002
【特許請求の範囲】
【請求項１】
被写体を撮影して被写体像を示す画像データを取得する撮像手段と、前記画像データを有する画像ファイルを作成するファイル作成手段と、前記画像ファイルを記録メディアの記録領域に作成されたフォルダに格納する記録制御手段とを有するデジタルカメラであって、
各ユーザーの識別情報を取得する識別情報取得手段と、前記記録メディアの記録領域に各ユーザーの識別情報に関連付けて複数のユーザーフォルダを作成し得るフォルダ作成手段とを備え、
前記記録制御手段は、前記画像ファイルを前記記録メディアのフォルダに格納する際に、前記識別情報取得手段によって取得したユーザの識別情報に基づいて該識別情報に対応するユーザーフォルダを自動選択し、当該ユーザーフォルダに画像ファイルを格納することを特徴とするデジタルカメラ。
【請求項２】
前記識別情報取得手段によって取得したユーザの識別情報に関連付けられたユーザーフォルダが作成されているか否かを判別する判別手段を有し、前記フォルダ作成手段は、前記判別手段によって当該するユーザーフォルダが作成されていないと判別されると、前記取得したユーザーの識別情報に関連付けたユーザーフォルダを前記記録メディアの記録領域に自動生成することを特徴とする請求項１に記載のデジタルカメラ。
【請求項３】
前記識別情報取得手段は、パスワードを入力するパスワード入力手段、又はユーザーの指紋、声紋若しくは網膜のパターンを検出する検出手段であることを特徴とする請求項１又は２に記載のデジタルカメラ。
【請求項４】
前記自動生成されたユーザーフォルダのフォルダ名を変更する手段と、前記ユーザーフォルダのフォルダ名が変更されると、該ユーザーフォルダ内に格納される画像ファイルのファイル名を、前記変更後のフォルダ名に関連付けたファイル名に変更する手段とを有することを特徴とする請求項１乃至３のいずれかに記載のデジタルカメラ。
【発明の詳細な説明】
【技術分野】
【０００１】
本発明はデジタルカメラに係り、特にデジタルカメラの記録メディアに格納される画像ファイルを管理する技術に関する。
【背景技術】
【０００２】
従来、予め複数のフォルダを仮想的に用意しておき、撮影画像が格納された画像ファイルを、前記複数のフォルダから適宜選択したフォルダに保存する際に、前記選択したフォルダが仮想的に用意されたものである場合には、実際にフォルダを作成し、その作成したフォルダに画像ファイルを保存し、前記選択したフォルダが既に作成されたフォルダの場合には、そのフォルダに画像ファイルを保存するようにしたデジタルカメラが提案されている（特許文献１）。
【０００３】
このようにフォルダを選択して画像ファイルを保存することにより、関連性のある画像ファイルを共通のフォルダに保存することができ、後で画像を整理、検索する際に便利であるという利点がある。
【０００４】
また、フォルダを仮想的に用意し、仮想のフォルダが選択されたときに実際のフォルダを作成して画像ファイルをそのフォルダに保存することで、記録メディア内に空のフォルダが作成されるのを防ぐことができ、用意してある複数の仮想のフォルダについて予めフォルダ名を与えておけば、ユーザーは、面倒なフォルダ名の設定等を行うことなく、フォルダを選ぶだけで、保存先フォルダを指定することができる。
【０００５】
また、撮影した画像データに電子透かしを埋め込むカメラにおいて、ユーザーの身体的特徴（指紋、声紋、網膜パターン等）からユーザーを識別し、その識別結果に応じて電子透かしを埋め込むモードを設定するものがある（特許文献２）。
【特許文献１】特開２００１−１６９２２２号公報
【特許文献２】特開２００１−１４４９３７号公報
【発明の開示】
【発明が解決しようとする課題】
【０００６】
特許文献１に記載のデジタルカメラの場合、複数のフォルダの中から画像ファイルを保存するための所望のフォルダをユーザーが選択しなければならなず、煩雑であるという問題がある。
【０００７】
また、複数のユーザーが同じデジタルカメラを使用する場合が想定されておらず、仮に複数のユーザーがユーザー毎にフォルダを使い分けない場合には、１つのフォルダ内に複数のユーザーの画像が混在するおそれがある。
【０００８】
一方、特許文献２には、ユーザーの身体的特徴からユーザーを識別し、その識別結果に応じて電子透かしを埋め込むモードを設定する記載があるが、各ユーザーの画像ファイルをユーザー毎に整理する技術に関する記載がない。
【０００９】
本発明はこのような事情に鑑みてなされたもので、１つのユーザーフォルダ内に複数のユーザーの画像ファイルが混在しないように各ユーザーの画像ファイルをユーザー毎に対応するユーザーフォルダに格納することができ、これにより画像ファイルの整理や検索が容易になり、また、画像ファイルを格納するユーザーフォルダをユーザー自身で選択するための操作が不要又は最小限にすることができるデジタルカメラを提供することを目的とする。
【課題を解決するための手段】
【００１０】
前記目的を達成するために請求項１に係る発明は、被写体を撮影して被写体像を示す画像データを取得する撮像手段と、前記画像データを有する画像ファイルを作成するファイル作成手段と、前記画像ファイルを記録メディアの記録領域に作成されたフォルダに格納する記録制御手段とを有するデジタルカメラであって、各ユーザーの識別情報を取得する識別情報取得手段と、前記記録メディアの記録領域に各ユーザーの識別情報に関連付けて複数のユーザーフォルダを作成し得るフォルダ作成手段とを備え、前記記録制御手段は、前記画像ファイルを前記記録メディアのフォルダに格納する際に、前記識別情報取得手段によって取得したユーザーの識別情報に基づいて該識別情報に対応するユーザーフォルダを自動選択し、当該ユーザーフォルダに画像ファイルを格納することを特徴としている。
【００１１】
即ち、前記識別情報取得手段が取得したユーザーの識別情報からデジタルカメラを使用するユーザー専用のユーザーフォルダを自動的に選択する。そして、現在、デジタルカメラを使用しているユーザーによって撮影された画像（画像ファイル）は、前記作成又は選択されたユーザーフォルダに格納される。ユーザーの識別情報はユーザー毎に異なるため、１つのユーザーフォルダ内に複数のユーザーの画像ファイルが混在することがなく、ユーザー毎に画像ファイルを整理することができる。
【００１２】
請求項２に示すように請求項１に記載のデジタルカメラにおいて、前記識別情報取得手段によって取得したユーザーの識別情報に関連付けられたユーザーフォルダが作成されているか否かを判別する判別手段を有し、前記フォルダ作成手段は、前記判別手段によって当該するユーザーフォルダが作成されていないと判別されると、前記取得したユーザーの識別情報に関連付けたユーザーフォルダを前記記録メディアの記録領域に自動生成することを特徴としている。
【００１３】
即ち、あるユーザーがデジタルカメラを初めて使用する場合には、前記識別情報取得手段によって取得したユーザーの識別情報に関連付けられたユーザーフォルダ（新規ユーザー専用のユーザーフォルダ）が自動生成される。これにおり、ユーザー毎のフォルダを予め用意しておく必要がない。
【００１４】
請求項３に示すように請求項１又は２に記載のデジタルカメラにおいて、前記識別情報取得手段は、パスワードを入力するパスワード入力手段、又はユーザーの指紋、声紋若しくは網膜のパターンを検出する検出手段であることを特徴としている。上記パスワード入力手段や指紋パターン等の検出手段からユーザーの識別情報を取得し、その識別情報に基づいてユーザーフォルダを自動選択するようにしたため、ユーザー自身でユーザーフォルダを選択するための操作が不要又は最小限にすることができ、また、１つのユーザーフォルダに複数のユーザーの画像ファイルが格納されることを防止することができる。
【００１５】
請求項４に示すように請求項１乃至３のいずれかに記載のデジタルカメラにおいて、前記自動生成されたユーザーフォルダのフォルダ名を変更する手段と、前記ユーザーフォルダのフォルダ名が変更されると、該ユーザーフォルダ内に格納される画像ファイルのファイル名を、前記変更後のフォルダ名に関連付けたファイル名に変更する手段とを有することを特徴としている。
【００１６】
ユーザーフォルダのフォルダ名を変更可能にすることで、複数のユーザーフォルダを容易に識別することができ、かつフォルダ名の変更後のユーザーフォルダに格納される画像ファイルのファイル名は、そのフォルダ名に関連付けられたファイル名に変更することで、画像ファイルの整理、検索が容易になる。
【発明の効果】
【００１７】
本発明によれば、撮影時に取得した画像ファイルをフォルダに格納する際に、デジタルカメラを使用しているユーザーの識別情報に基づいてそのユーザー専用のユーザーフォルダに画像ファイルを格納するようにしたため、ユーザー毎に画像ファイルを整理することができるとともに、１つのユーザーフォルダ内に複数のユーザーの画像ファイルが混在しないようにすることができる。これにより、画像ファイルの整理や検索が容易になる。また、ユーザーの識別情報に基づいてユーザーフォルダを自動選択するため、画像ファイルを格納するユーザーフォルダをユーザー自身で選択するための操作が不要又は最小限にすることができる。
【発明を実施するための最良の形態】
【００１８】
以下添付図面に従って本発明に係るデジタルカメラの好ましい実施の形態について詳説する。
【００１９】
図１は本発明に係るデジタルカメラの背面図である。
【００２０】
同図に示すようにモードダイヤル１は、回転させることにより、マニュアル撮影モード、オート撮影モード、人物モード等のうちのいずれかの撮影モードに設定できるようになっている。また、モードダイヤル１の中央には、半押し時にＯＮするスイッチＳ１と、全押し時にＯＮするスイッチＳ２とを有するシャッタボタン２が設けられている。
【００２１】
このデジタルカメラの背面には、図１に示すようにファインダ接眼部３、電源ボタン４、表示キー５、モード切替えレバー６、キャンセルキー７、メニュー／実行キー８、マルチファンクションの十字キー９、及び液晶モニタからなる画像表示装置１０が設けられている。
【００２２】
画像表示装置１０は、カメラの動作モードや十字キー９の機能等を文字やアイコンで表示する。また、画像表示装置１０は、動画（スルー画像）を表示して電子ビューファインダとして使用できるとともに、撮影した記録前の画像（プレビュー画像）やカメラに装填された記録メディアから読み出した再生画像等を表示することができる。更に、画像表示装置１０は、撮影可能コマ数や再生コマ番号の表示、マニュアル設定する際のホワイトバランス、画素数、圧縮率、及びシャープネス等をマニュアル設定する際の各種のメニュー等がメニュー／実行キー８や十字キー９の操作に応じて表示される。また、画像表示装置１０は、後述するようにユーザーにパスワードの入力を促すための画面の表示も行う。
【００２３】
図２は図１に示したデジタルカメラの内部構成を示すブロック図である。
【００２４】
同図において、中央処理装置（ＣＰＵ）１２は、前述したシャッタボタン２、モード切替えレバー６等の各種のボタンやキーからの入力に基づいてデジタルカメラ内の各回路を統括制御する。
【００２５】
いま、モード切替えレバー６によって撮影モードが設定されると、ＣＰＵ１２は、動画（スルー画）を画像表示装置１０に表示させ、撮影画角を確認可能にする。即ち、絞り１６及び撮影レンズ１８を通過した被写体光は、撮像素子（ＣＣＤ）２０の受光面上に結像する。ＣＣＤ２０は、受光面に結像された被写体光をその光量に応じた量の信号電荷に変換する。このようにして蓄積された信号電荷は、ＣＰＵ１２の指令に従いタイミングジェネレータ２１から与えられる駆動パルスに基づいて信号電荷に応じた電圧信号（画像信号）として順次読み出される。
【００２６】
ＣＣＤ２０から出力された信号はアナログ処理部（ＣＤＳ／ＡＭＰ）２２に送られ、ここで画素ごとのＲ，Ｇ，Ｂ信号がサンプリングホールド（相関二重サンプリング処理）され、増幅された後、Ａ／Ｄ変換器２４に加えられる。Ａ／Ｄ変換器２４によってデジタル信号に変換された点順次のＲ，Ｇ，Ｂ信号は、画像入力コントローラ２６を介してメモリ（ＳＤＲＡＭ）２８に記憶される。尚、メモリ２８は、画像データの一時記憶領域として利用されるとともに、プログラムの展開領域及びＣＰＵ１２の演算作業用領域として利用される。
【００２７】
画像信号処理回路３０は、メモリ２８に記憶されたＲ，Ｇ，Ｂ信号をＣＰＵ１２の指令に従って処理する。即ち、画像信号処理回路３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１２からのコマンドに従ってメモリ２８を活用しながら所定の信号処理を行う。
【００２８】
画像信号処理回路３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路３０で処理されたＹＣ信号はＶＲＡＭ３２に格納される。
【００２９】
撮影画像を画像表示装置１０にモニタ出力する場合、ＶＲＡＭ３２からＹＣ信号が読み出され、ビデオエンコーダ３４に送られる。ビデオエンコーダ３４は、入力されたＹＣ信号を表示用の所定方式の信号（例えば、ＮＴＳＣ方式のカラー複合映像信号）に変換して画像表示装置１０に出力する。
【００３０】
所定のフレームレートで処理された各フレームのＹＣ信号は、ＶＲＡＭ３２のＡ領域とＢ領域とに交互に書き込まれ、ＶＲＡＭ３２のＡ領域及びＢ領域のうち、ＹＣ信号が書き込まれている方の領域以外の領域から、書き込まれているＹＣ信号が読み出される。このようにしてＶＲＡＭ３２内のＹＣ信号が定期的に書き換えられ、そのＹＣ信号から生成される映像信号が画像表示装置１０に供給されることにより、撮像中の映像がリアルタイムに画像表示装置１０に表示される。ユーザーは、画像表示装置１０に表示される映像（スルー）によって撮影画角を確認できる。
【００３１】
ここで、シャッタボタン２が半押しされ、Ｓ１がオンすると、ＡＥ及びＡＦ処理が開始される。即ち、ＣＣＤ２０から出力された画像信号はＡ／Ｄ変換後に画像入力コントローラ２６を介してＡＦ検出回路３６並びにＡＥ／ＡＷＢ検出回路３８に入力される。
【００３２】
ＡＥ／ＡＷＢ検出回路３８は、１画面を複数のエリア（例えば、１６×１６）に分割し、分割エリアごとにＲＧＢ信号を積算する回路を含み、その積算値をＣＰＵ１２に提供する。ＣＰＵ１２は、ＡＥ／ＡＷＢ検出回路３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１２はタイミングジェネレータ２１を介してＣＣＤ２０の電子シャッタを制御するとともに、モータドライバ４０を介して絞り１６を制御して適正な露光量を得る。
【００３３】
また、ＡＥ／ＡＷＢ検出回路３８は、自動ホワイトバランス調整時には、分割エリアごとにＲＧＢ信号の色別の平均積算値を算出し、その算出結果をＣＰＵ１２に提供する。ＣＰＵ１２は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００３４】
また、ＡＦ制御は、例えば画像信号のＧ信号の高周波成分が極大になるように撮影レンズ１８を移動させるコントラストＡＦが適用される。即ち、ＡＦ検出回路３６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００３５】
ＡＦ検出回路３６で求めた積算値のデータはＣＰＵ１２に通知される。ＣＰＵ１２は、モータドライバ４２を制御して撮影レンズ１８を移動させながら、複数のＡＦ検出ポイントで焦点評価値（ＡＦ評価値）を演算し、評価値が極大となるレンズ位置を合焦位置として決定する。そして、求めた合焦位置に撮影レンズ１８を移動させるようにモータドライバ４２を制御する。尚、ＡＦ評価値の演算はＧ信号を利用する態様に限らず、輝度信号（Ｙ信号）を利用してもよい。
【００３６】
上記ＡＥ／ＡＦ処理が行われ、シャッタボタン２が全押しされ、Ｓ２オンによって記録用の撮影動作がスタートする。Ｓ２オンに応動して取得された画像データは画像信号処理回路３０において輝度／色差信号（Ｙ／Ｃ信号）に変換され、ガンマ補正等の所定の処理が施された後、メモリ２８に格納される。
【００３７】
メモリ２８に格納されたＹ／Ｃ信号は、圧縮伸長処理回路４４によって所定のフォーマットに従って圧縮された後、メディアコントローラ４６を介して記録メディア１４に記録される。例えば、静止画についてはJPEG（Joint Photographic Experts Group）形式で記録される。
【００３８】
モード切替えレバー６により再生モードが選択されると、記録メディア１４に記録されている最終の画像ファイル（最後に記録されたファイル）の圧縮データが読み出される。最後の記録に係るファイルが静止画ファイルの場合、この読み出された画像圧縮データは、圧縮伸長処理回路４４を介して非圧縮のＹＣ信号に伸長され、ＶＲＡＭ３２に保存される。ＶＲＡＭ３２に保存されたＹＣ信号は、ビデオエンコーダ３４に加えられる。ビデオエンコーダ３８は、入力するＹＣ信号からＮＴＳＣ方式のカラー複合映像信号を作成し、これを画像表示装置１０に出力する。これにより、画像表示装置１０には記録メディア１４に記録されている最終コマのコマ画像が表示される。
【００３９】
その後、順コマ送りスイッチ（十字キー９の右キー）が押されると、順方向にコマ送りされ、逆コマ送りスイッチ（十字キー９の左キー）が押されると、逆方向にコマ送りされる。そして、コマ送りされたコマ位置の画像ファイルが記録メディア１４から読み出され、上記と同様にしてコマ画像が画像表示装置１０に再生される。尚、最終コマのコマ画像が表示されている状態で順方向にコマ送りされると、記録メディア１４に記録されている１コマ目の画像ファイルが読み出され、１コマ目のコマ画像が画像表示装置１０に再生される。
【００４０】
次に、上記デジタルカメラでの撮影時に取得した画像ファイルを記録メディア１４に保存する際のフォルダや画像ファイルの管理方法について説明する。
【００４１】
このデジタルカメラは、ユーザーを判別する機能を有し、ユーザー毎のフォルダ（ユーザーフォルダ）を記録メディア１４の記録領域に自動生成するとともに、各ユーザーの画像ファイルを対応するユーザーフォルダに格納する機能を有している。
【００４２】
次に、図３等を参照しながら上記デジタルカメラの機能について詳述する。
【００４３】
図３において、まず、ＣＰＵ１２は、デジタルカメラの操作部でのユーザー操作によって入力されるパスワードに基づいてデジタルカメラを使用するユーザーを判別する（ステップＳ１０）。パスワードの入力方法としては、例えば、図１に示す十字キー９を使用し、この十字キー９の上下左右キーに０〜３の数字を割り当て、上下左右キーを操作してユーザー毎に決めた所望の数字、桁数からなる数字列（パスワード）を入力する。尚、パスワードの入力は、図１に示すように画像表示装置１０の画面で確認できるようになっている。
【００４４】
上記入力されたパスワードに対応するユーザーフォルダが記録メディア１４に作成されているか否かを判別する（ステップＳ１２）。そして、入力されたパスワードに対応するユーザーフォルダが作成されていない場合（即ち、登録されているユーザー１〜ｎのパスワードと異なるパスワードが入力された場合）には、新規ユーザーｎ＋１がデジタルカメラを使用するものと見なし、前記入力されたパスワードに関連付けて新たなユーザーフォルダを記録メディア１４に作成する（ステップＳ１４）。
【００４５】
ここで、新規に作成されるユーザーフォルダのフォルダ名は、例えば、ＤＣＦ（Design rule for Camera File system: デジタルカメラの統一記録フォーマット) などによる命名規則により自動生成される。ＤＣＦ規定によるフォルダ名は、次表のように作成される。
【００４６】
【表１】
2005244769.tif 000003
尚、この実施の形態では、自動生成されたユーザーフォルダのフォルダ名は、100-fuji,101-fuji,…と命名し、フォルダ番号を最大番号＋1 の連番にしている。
【００４７】
一方、入力されたパスワードに対応するユーザーフォルダが既に作成されている場合には、そのパスワードに対応するユーザーフォルダを選択する（ステップＳ１６、Ｓ１８、Ｓ２０）。
【００４８】
その後、ステップＳ２２で撮影が実施されると、撮影画像を含む画像ファイル（例えば、デジタルカメラ用のExif(Exchangeable image file format ）ファイル）が作成され、また、画像ファイルのファイル名がＤＣＦ規定により自動生成される。ＤＣＦ規定によるファイル名は、次表のように作成される。
【００４９】
【表２】
2005244769.tif 000004
尚、この実施の形態では、ファイル名は、DSCF0001.JPG, DSCF0002.JPG, …と命名し、ファイル番号を最大番号＋１の連番にしている。
【００５０】
そして、上記ファイル名が作成された画像ファイルは、デジタルカメラを使用したユーザー１、ユーザー２、…ユーザーｎ、又はユーザーｎ＋１に対応するユーザーフォルダに保存される（ステップＳ２４）。
【００５１】
これにより、デジタルカメラを使用するユーザー毎に画像ファイルを整理することができる。
【００５２】
図４は画像ファイルを記録メディア１４に保存する際のフォルダや画像ファイルの他の管理方法を示すフローチャートである。尚、図３と共通する部分には同一のステップ番号を付し、その詳細な説明は省略する。
【００５３】
図４において、ステップＳ２２で撮影が実施されると、その後、現在デジタルカメラを使用しているユーザーのユーザーフォルダのフォルダ名が変更されているか否かを判別する（ステップＳ３０）。
【００５４】
尚、ユーザーフォルダのフォルダ名は、デジタルカメラを使用しているユーザーの操作により、アクセス可能になっているユーザーフォルダのフォルダ名を変更できるようになっている。
【００５５】
図５はフォルダ名を変更する場合の処理手順を示すフローチャートである。同図において、例えば、デジタルカメラのメニュー／実行キー８及び十字キー９を操作して、フォルダ名を変更するメニューが選択されると（ステップＳ４０）、フォルダ名を入力するモードとなり、ここでアルファベットや数字等を操作キーを使用して選択することで、フォルダ名を入力する（ステップＳ４２）。そして、フォルダ名が変更されると、そのフォルダ名に対応して、フォルダ名が変更されたユーザーフォルダ内の画像ファイルのファイル名を自動的に変更する（ステップＳ４４）。例えば、ＤＣＦ規則により命名されたフォルダ名（100-fuji等）を、PAPAやMAMAに変更すると、そのフォルダ内の画像ファイルのファイル名は、PAPA0001.JPG,MAMA0001.JPG に変更される。
【００５６】
図４に戻って、ステップＳ３０において、画像ファイルを保存しようとするユーザーフォルダのフォルダ名が変更されたか否かが判別される。フォルダ名が変更されている場合には、変更後のフォルダ名に対応するファイル名を作成し（ステップＳ３２）、そのファイル名の画像ファイルを対応するユーザーフォルダに保存する（ステップＳ２４）。一方、フォルダ名が変更されていない場合には、表２に示したようにＤＣＦの命名規則によりファイル名を作成し（ステップＳ３４）、そのファイル名の画像ファイルを対応するユーザーフォルダに保存する（ステップＳ２４）。
【００５７】
上記のようにフォルダ名やファイル名を変更できるようにしたため、ユーザーフォルダや画像ファイルの検索が容易になる。
【００５８】
図６は上記のようにして画像ファイルが保存された記録メディア１４の記録構造の一例を示す図である。
【００５９】
同図に示すように、ルートディレクトリDcim(Digital Camera IMages) の直下に同一階層のユーザーフォルダ(100-fuji,101-fuji, …PAPA) が作成され、各ユーザーフォルダごとに、各ユーザーの画像ファイルが保存される。
【００６０】
また、ユーザーフォルダと同じ階層に、フォルダ管理テーブルが作成されている。フォルダ管理テーブルは、図７に示すように各ユーザーのユーザーフォルダのフォルダ名と、ユーザーＩＤ（パスワード）とを関連付けて管理するテーブルである。パスワードの入力時に行われる、そのパスワードに対応するユーザーフォルダが作成されている否かの判別は、フォルダ管理テーブルの情報に基づいて行うことができる。また、新たなパースワードの入力によってユーザーフォルダが自動作成されると、そのユーザーフォルダのフォルダ名とパスワードとはフォルダ管理テーブルに追記される。
【００６１】
尚、ユーザーフォルダ内の画像ファイルが全て削除されると、空フォルダになるため、そのユーザーフォルダは記録メディア１４から自動的に削除してもよい。また、ユーザーフォルダが削除された場合には、フォルダ管理テーブルの対応する情報も削除する。
【００６２】
この実施の形態では、記録メディアは着脱自在のものとしたが、これに限らず、カメラ内蔵の固定メモリでもよい。また、再生モード時にもパスワードに対応するユーザーフォルダ内の画像ファイルのみを画像表示装置１０で閲覧できるようにしてもよい。このようにユーザーフォルダへのアクセス権をユーザー個人に持たせることで、プライバシー保護を図ることができる。
【００６３】
また、この実施の形態では、パスワードの入力によりユーザーを判別するようにしたが、これに限らず、ユーザーの身体的特徴量（例えば、指紋パターン、音声パターン、網膜パターン等）を検出する検出手段をデジタルカメラに設け、この検出手段による検出結果からユーザーを判別するようにしてもよい。
【００６４】
更に、ユーザーが判別できず、又はユーザーの識別情報が入力されない場合にもデジタルカメラを使用可能にしてもよく、この場合には、画像ファイルは共通に使用できる通常のフォルダに保存するようにする。
【００６５】
また、この実施の形態では、静止画が記録される画像ファイルの管理について説明したが、動画の撮影が可能なデジタルカメラでは、動画のファイルも同様に管理することができる。
【図面の簡単な説明】
【００６６】
【図１】図１は本発明に係るデジタルカメラの背面図である。
【図２】図２は図１に示したデジタルカメラの内部構成を示すブロック図である。
【図３】図３は画像ファイルを記録メディアに保存する際のフォルダや画像ファイルの管理方法を説明するために用いたフローチャートである。
【図４】図４は画像ファイルを記録メディアに保存する際のフォルダや画像ファイルの他の管理方法を説明するために用いたフローチャートである。
【図５】図５はフォルダ名を変更する場合の処理手順を示すフローチャートである。
【図６】図６は画像ファイルが保存される記録メディアの記録構造の一例を示す図である。
【図７】図７はフォルダ管理テーブルの一例を示す図である。
【符号の説明】
【００６７】
２…シャッタボタン、６…モード切替えレバー、８…メニュー／実行キー、９…十字キー、１０…画像表示装置、１２…中央処理装置（ＣＰＵ）、１４…記録メディア、１８…撮影レンズ、２０…撮像素子（ＣＣＤ）、２８…メモリ（ＳＤＲＡＭ）、３０…画像信号処理回路、４６…メディアコントローラ
【図１】
2005244769.tif 000005
【図２】
2005244769.tif 000006
【図３】
2005244769.tif 000007
【図４】
2005244769.tif 000008
【図５】
2005244769.tif 000009
【図６】
2005244769.tif 000010
【図７】
2005244769.tif 000011